(57)【要約】【課題】電源からの電力供給が断たれても画像表示が維持される不揮発性表示部での画像書換を高速化する画像表示装置および画像表示プログラムを提供する。【解決手段】表示端末は、電源からの電力供給が断たれても画像表示が維持される表示パネルを備える。表示パネルに表示されている現在ページを指定ページに切り換える場合、指定ページのページタイプが全書換であれば（Ｓ３７：ＮＯ）、画面全体が書き換えられて指定ページが表示される。指定ページのページタイプが部分書換であり（Ｓ３７：ＹＥＳ）、かつ、現在ページと指定ページのＲＥＦページ番号が一致すれば（Ｓ４１：ＹＥＳ）、画面の一部が書き換えられて指定ページが表示される。【選択図】図１２
2010169886.tif 000002
【特許請求の範囲】
【請求項１】
電源からの電力供給が断たれても画像表示が維持される不揮発性表示手段と、
前記不揮発性表示手段に書換表示される画面の全体を示す全体画像を含む全書換データと、前記画面の一部を示す部分画像および前記部分画像が書換表示される領域を示す書換領域を含む部分書換データと、を少なくとも記憶する書換データ記憶手段と、
前記不揮発性表示手段に表示されている一の前記画面を他の前記画面に切り換える指示を受け付ける切換指示受付手段と、
前記切換指示受付手段によって前記指示が受け付けられると、前記他の画面が前記全書換データおよび前記部分書換データのいずれに対応するかを判断する書換判断手段と、
前記書換判断手段によって前記全書換データに対応すると判断された場合に、前記不揮発性表示手段に表示されている前記画面の全体を、前記他の画面に対応する前記全体画像に書き換える第１書換手段と、
前記書換判断手段によって前記部分書換データに対応すると判断された場合に、前記不揮発性表示手段に表示されている前記画面のうちで、前記部分書換データに示される前記書換領域を、前記他の画面に対応する前記部分画像に書き換える第２書換手段と
を備えたことを特徴とする画像表示装置。
【請求項２】
前記書換判断手段によって前記部分書換データに対応すると判断された場合に、前記一の画面に対応する前記書換領域と前記他の画面に対応する前記書換領域とが一致するか否かを判断する書換領域判断手段とを備え、
前記第２書換手段は、前記書換領域判断手段によって前記書換領域が一致すると判断された場合に、前記他の画面に対応する前記部分書換データに基づいて書換表示を行うことを特徴とする請求項１に記載の画像表示装置。
【請求項３】
前記部分書換データは、前記部分画像の書換表示に際して参照される前記全書換データを示す参照情報を含み、
前記書換領域判断手段は、前記一の画面に対応する前記参照情報と前記他の画面に対応する前記参照情報とが一致するか否かを判断し、前記参照情報が一致したときに前記書換領域が一致すると判断することを特徴とする請求項２に記載の画像表示装置。
【請求項４】
前記書換領域判断手段によって前記書換領域が一致しないと判断された場合に、前記不揮発性表示手段に表示されている前記画面を、前記他の画面に対応する前記参照情報に示される前記全書換データに基づいて書換表示を行い、さらに、前記他の画面に対応する前記部分書換データに基づいて書換表示を行う第３書換手段を備えたことを特徴とする請求項３に記載の画像表示装置。
【請求項５】
電源からの電力供給が終了された場合、前記不揮発性表示手段に表示されている前記画面を特定するための終了時情報を記憶する終了時情報記憶手段と、
電源からの電力供給が開始された場合、前記終了時情報記憶手段に記憶されている前記終了時情報を取得する終了時情報取得手段とを備え、
前記書換領域判断手段は、電源からの電力供給が開始されたのちで最初に前記切換指示受付手段によって前記指示が受け付けられた場合、前記終了時情報によって特定される前記画面に対応する前記書換領域と前記他の画面に対応する前記書換領域とが一致するか否かを判断することを特徴とする請求項２〜４のいずれかに記載の画像表示装置。
【請求項６】
電源からの電力供給が断たれても画像表示が維持される不揮発性表示手段と、
前記不揮発性表示手段に書換表示される画面の全体を示す全体画像を含む全書換データと、前記画面の一部を示す部分画像および前記部分画像が書換表示される領域を示す書換領域を含む部分書換データと、を少なくとも記憶する書換データ記憶手段と、
前記不揮発性表示手段に表示されている一の前記画面を他の前記画面に切り換える指示を受け付ける切換指示受付手段とを備えた画像表示装置において、
コンピュータを、
前記切換指示受付手段によって前記指示が受け付けられると、前記他の画面が前記全書換データおよび前記部分書換データのいずれに対応するかを判断する書換判断手段、
前記書換判断手段によって前記全書換データに対応すると判断された場合に、前記不揮発性表示手段に表示されている前記画面の全体を、前記他の画面に対応する前記全体画像に書き換える第１書換手段、
前記書換判断手段によって前記部分書換データに対応すると判断された場合に、前記不揮発性表示手段に表示されている前記画面のうちで、前記部分書換データに示される前記書換領域を、前記他の画面に対応する前記部分画像に書き換える第２書換手段
として機能させることを特徴とする画像表示プログラム。
【発明の詳細な説明】
【技術分野】
【０００１】
本発明は、電源からの電力供給が断たれても画像表示が維持される不揮発性表示部を備えた画像表示装置、および、不揮発性表示部に画像を表示するための画像表示プログラムに関する。
【背景技術】
【０００２】
従来、電源からの電力供給が断たれても画像が消去されずに、画像書換が行われるまで画像表示が維持される不揮発性表示部を備えたが画像表示装置が提供されている。このような表示装置において、書換前の画像と書換後の画像とが比較され、その異なっている部分の表示を部分的に書き換える画像表示装置が知られている（例えば、特許文献１参照）。
【先行技術文献】
【特許文献】
【０００３】
【特許文献１】特開２００８−１２２６８８号公報
【発明の概要】
【発明が解決しようとする課題】
【０００４】
しかしながら、特許文献１に記載の情報表示装置では、画像の書き換えが発生する毎に、書換前の画像および書換後の画像の比較処理が必要である。この比較処理の発生によって、画像書換に時間を要するおそれがあった。特に、画像サイズが大きくなればなるほど、これらの処理負担が大きくなって画像書換に多大な時間を要するおそれがあった。
【０００５】
本発明は、上記問題点を解決するためになされたものであり、電源からの電力供給が断たれても画像表示が維持される不揮発性表示部での画像書換を高速化する画像表示装置および画像表示プログラムを提供することを目的とする。
【課題を解決するための手段】
【０００６】
上記課題を解決するために、請求項１に係る発明の画像表示装置は、電源からの電力供給が断たれても画像表示が維持される不揮発性表示手段と、前記不揮発性表示手段に書換表示される画面の全体を示す全体画像を含む全書換データと、前記画面の一部を示す部分画像および前記部分画像が書換表示される領域を示す書換領域を含む部分書換データと、を少なくとも記憶する書換データ記憶手段と、前記不揮発性表示手段に表示されている一の前記画面を他の前記画面に切り換える指示を受け付ける切換指示受付手段と、前記切換指示受付手段によって前記指示が受け付けられると、前記他の画面が前記全書換データおよび前記部分書換データのいずれに対応するかを判断する書換判断手段と、前記書換判断手段によって前記全書換データに対応すると判断された場合に、前記不揮発性表示手段に表示されている前記画面の全体を、前記他の画面に対応する前記全体画像に書き換える第１書換手段と、前記書換判断手段によって前記部分書換データに対応すると判断された場合に、前記不揮発性表示手段に表示されている前記画面のうちで、前記部分書換データに示される前記書換領域を、前記他の画面に対応する前記部分画像に書き換える第２書換手段とを備えている。
【０００７】
請求項２に係る発明の画像表示装置は、請求項１に記載の発明の構成に加えて、前記書換判断手段によって前記部分書換データに対応すると判断された場合に、前記一の画面に対応する前記書換領域と前記他の画面に対応する前記書換領域とが一致するか否かを判断する書換領域判断手段とを備え、前記第２書換手段は、前記書換領域判断手段によって前記書換領域が一致すると判断された場合に、前記他の画面に対応する前記部分書換データに基づいて書換表示を行うことを特徴とする。
【０００８】
請求項３に係る発明の画像表示装置は、請求項２に記載の発明の構成に加えて、前記部分書換データは、前記部分画像の書換表示に際して参照される前記全書換データを示す参照情報を含み、前記書換領域判断手段は、前記一の画面に対応する前記参照情報と前記他の画面に対応する前記参照情報とが一致するか否かを判断し、前記参照情報が一致したときに前記書換領域が一致すると判断することを特徴とする。
【０００９】
請求項４に係る発明の画像表示装置は、請求項３に記載の発明の構成に加えて、前記書換領域判断手段によって前記書換領域が一致しないと判断された場合に、前記不揮発性表示手段に表示されている前記画面を、前記他の画面に対応する前記参照情報に示される前記全書換データに基づいて書換表示を行い、さらに、前記他の画面に対応する前記部分書換データに基づいて書換表示を行う第３書換手段を備えている。
【００１０】
請求項５に係る発明の画像表示装置は、請求項２〜４のいずれかに記載の発明の構成に加えて、電源からの電力供給が終了された場合、前記不揮発性表示手段に表示されている前記画面を特定するための終了時情報を記憶する終了時情報記憶手段と、電源からの電力供給が開始された場合、前記終了時情報記憶手段に記憶されている前記終了時情報を取得する終了時情報取得手段とを備え、前記書換領域判断手段は、電源からの電力供給が開始されたのちで最初に前記切換指示受付手段によって前記指示が受け付けられた場合、前記終了時情報によって特定される前記画面に対応する前記書換領域と前記他の画面に対応する前記書換領域とが一致するか否かを判断することを特徴とする。
【００１１】
請求項６に係る発明の画像表示プログラムは、電源からの電力供給が断たれても画像表示が維持される不揮発性表示手段と、前記不揮発性表示手段に書換表示される画面の全体を示す全体画像を含む全書換データと、前記画面の一部を示す部分画像および前記部分画像が書換表示される領域を示す書換領域を含む部分書換データと、を少なくとも記憶する書換データ記憶手段と、前記不揮発性表示手段に表示されている一の前記画面を他の前記画面に切り換える指示を受け付ける切換指示受付手段とを備えた画像表示装置において、コンピュータを、前記切換指示受付手段によって前記指示が受け付けられると、前記他の画面が前記全書換データおよび前記部分書換データのいずれに対応するかを判断する書換判断手段、前記書換判断手段によって前記全書換データに対応すると判断された場合に、前記不揮発性表示手段に表示されている前記画面の全体を、前記他の画面に対応する前記全体画像に書き換える第１書換手段、前記書換判断手段によって前記部分書換データに対応すると判断された場合に、前記不揮発性表示手段に表示されている前記画面のうちで、前記部分書換データに示される前記書換領域を、前記他の画面に対応する前記部分画像に書き換える第２書換手段として機能させることを特徴とする。
【発明の効果】
【００１２】
請求項１に係る発明の画像表示装置によれば、電源からの電力供給が断たれても画像表示が維持される不揮発性表示手段に表示されている一の画面を他の画面に切り換える場合、他の画面が全書換データに対応していれば画面の全体が書き換えられる一方、他の画面が部分書換データに対応していれば画面の一部を書き換えられる。したがって、不揮発性表示手段に表示されている画面の全部または一部のいずれを書き換えるかの判断を迅速にして、不揮発性表示部での画像書換を高速化することができる。
【００１３】
請求項２に係る発明の画像表示装置によれば、他の画面が部分書換データに対応する場合に、一の画面の書換領域と他の画面の書換領域とが一致していれば、他の画面に対応する部分書換データに基づいて書換表示が行われる。したがって、請求項１に記載の発明の効果に加え、書換前の画面と書換後の画面とで書換領域が一致する場合は、不揮発性表示手段に表示されている画面の一部のみが書換表示されるので、画面の書換表示に係る処理量を低減することができる。
【００１４】
請求項３に係る発明の画像表示装置によれば、一の画面の参照先である全画面データと他の画面の参照先である全画面データとが一致している場合に、一の画面の書換領域と他の画面の書換領域とが一致すると判断される。したがって、請求項２に記載の発明の効果に加え、書換前の画面と書換後の画面とで書換領域が一致するか否かの判断を迅速にすることができる。
【００１５】
請求項４に係る発明の画像表示装置によれば、一の画面の書換領域と他の画面の書換領域とが一致しない場合、不揮発性表示手段に表示されている画面の全部が、他の画面の参照先である全書換データに基づいて書換表示されたのち、他の画面に対応する部分書換データに基づいて書換表示される。したがって、請求項３に記載の発明の効果に加え、書換前の画面と書換後の画面とで書換領域が一致しない場合でも、不揮発性表示手段に表示されている画面を適切に書き換えることができる。
【００１６】
請求項５に係る発明の画像表示装置によれば、電源からの電力供給が終了されると終了時情報が記憶され、電源からの電力供給が開始されると終了時情報を取得される。そして、電源からの電力供給が開始されたのちの最初に行われる書換表示では、終了時情報によって特定される画面に基づいて、画面の全部または一部のいずれを書き換えるかの判断が行われる。したがって、請求項２〜４のいずれかに記載の発明の効果に加え、画像表示装置にて電力供給が終了された場合でも、その電力供給が開始された時点で不揮発性表示手段に表示されている画面を適切に特定することができる。
【００１７】
請求項６に係る発明の画像表示プログラムによれば、電源からの電力供給が断たれても画像表示が維持される不揮発性表示手段に表示されている一の画面を他の画面に切り換える場合、他の画面が全書換データに対応していれば画面の全体が書き換えられる一方、他の画面が部分書換データに対応していれば画面の一部を書き換えられる。したがって、不揮発性表示手段に表示されている画面の全部または一部のいずれを書き換えるかの判断を迅速にして、不揮発性表示部での画像書換を高速化することができる。
【図面の簡単な説明】
【００１８】
【図１】表示端末１の外観を示す正面図である。
【図２】表示パネル２の正面図である。
【図３】図２に示す表示パネル２のＡ−Ａ線における矢視方向断面図である。
【図４】図２に示す表示パネル２のＢ−Ｂ線における矢視方向断面図である。
【図５】表示端末１の電気的構成を示すブロック図である。
【図６】第１ページのページ画面２０１を例示する図である。
【図７】管理ファイル記憶エリア１１０のデータ構成を示す図である。
【図８】画像ファイル記憶エリア１２０のデータ構成を示す図である。
【図９】第２ページのページ画面２０２を例示する図である。
【図１０】第３ページのページ画面２０３を例示する図である。
【図１１】表示端末１のメイン処理を示すフローチャートである。
【図１２】指定ページ書換処理（Ｓ９）の詳細を示すフローチャートである。
【図１３】前後ページ書換処理（Ｓ１１）の詳細を示すフローチャートである。
【図１４】変形例の表示端末１の電気的構成を示すブロック図である。
【図１５】ページファイル記憶エリア１３０のデータ構成を示す図である。
【発明を実施するための形態】
【００１９】
以下、本発明を具体化した実施の形態について、図面を参照して説明する。なお、参照する図面は、本発明が採用しうる技術的特徴を説明するために用いられるものであり、記載されている装置の構成、各種処理のフローチャートなどは、特に特定的な記載がない限り、それのみに限定する趣旨ではなく、単なる説明例である。
【００２０】
図１〜図４を参照して、表示端末１の物理的構成について説明する。図１に示すように、本実施形態に例示する表示端末１は、携帯用の電子機器に具備可能な小型の電気泳動表示部である表示パネル２を、略直方体形状の筐体の正面に備えている。表示端末１の正面に配置された表示パネル２は、一例として正面視縦長の直方体形状をなす。また、表示端末１の側面には、メモリカード７（図５参照）を挿入するためのカードスロット（図示外）が設けられている。
【００２１】
表示パネル２の正面右側には、操作キー８が設けられている。決定キー８５の上下左右にはそれぞれ、上キー８１，下キー８２，左キー８４，右キー８３が設けられている。上キー８１および下キー８２は、目次画面やメニュー画面においてコンテンツを選択するためのキーであり、左キー８４および右キー８３は、表示パネル２に表示されている画面のページ送りを行うためのキーである。ユーザは、操作キー８を操作することによって、表示パネルに表示させる任意のコンテンツを指定したり、表示パネル２に表示される画面を切り換えたり、表示端末１に関する各種設定を指示したりする。なお、操作キー８の正面下側には、表示端末１の電源のオン・オフを指示するキーである電源ボタン９が設けられている。
【００２２】
表示パネル２の構造について説明する。図２〜図４に示すように、表示パネル２は、その下面部分に設けられる下部基板１０と、その上面部分に設けられる上部基板２０とが対向配置され、下部基板１０と上部基板２０との間に表示部３０を備える。なお、図２中のＡ−Ａ線は、表示端末１の横方向（左右方向）に平行な線を示し、図２中のＢ−Ｂ線は、表示端末１の縦方向（上下方向）に平行な線を示す。
【００２３】
下部基板１０は、表示部３０に電界を発生させる下部電極１２と、下部電極１２の上面側に絶縁材料を塗布等して形成した絶縁膜である下部電極保護膜１１と、下部電極１２の下面側に設けられて表示端末１を支持する筐体支持部１３とを備える。下部電極保護膜１１は、ポリエチレンテレフタレートやシリカ等の樹脂フィルムやガラスなどの無機材料等の高い絶縁性を発揮可能な材料により形成される。本実施形態では、下部電極保護膜１１および筐体支持部１３は、可撓性のあるポリエチレンテレフタレートにより構成されたプラスチック基板（樹脂フィルム）である。また、下部電極１２は、一定の電圧が印加されるように線状の電気導電体が横方向（Ａ−Ａ線方向）に平行に且つ所定間隔を空けて配設された、複数の電極を具備する基板である。
【００２４】
下部基板１０の上方向（図３，４の上方向）には、下部基板１０に対向して、かつ平行に所定間隔を空けて上部基板２０が設けられる。上部基板２０は、表示部３０に電界を発生させる上部電極２２と、上部電極２２の下面側に絶縁材料を塗布等して形成した絶縁膜である上部電極保護膜２１と、上部電極２２の上面側に設けられて透明な部材により構成されて表示画面として機能する表示層２３とを備える。上部電極保護膜２１は、ポリイミド，ポリエチレンテレフタレート，ガラスなどの高い透明性を発揮可能な材料により形成される。上部電極２２は、一定の電圧が印加されるように線状の電気導電体が縦方向（Ｂ−Ｂ線方向）に平行に且つ所定間隔を空けて配設された、複数の電極を具備する基板であり、かつ高い透明性を発揮可能な材料により構成される。本実施形態では、上部電極保護膜２１はポリエチレンテレフタレートにより構成されたプラスチック基板（樹脂フィルム）である。上部電極２２は、酸化インジウムすず（ＩＴＯ）により形成された透明電極である。表示層２３は、ガラス基板である。つまり、上部基板２０は透明体であるから、利用者が上部基板２０の上方向（図３，４の上方向）から表示部３０を視認可能な表示基板として機能する。
【００２５】
表示部３０の構造について説明する。図３および図４に示すように、対向して設けられる下部基板１０及び上部基板２０と、スペーサー３１とで形成される間隙が、表示部３０である。スペーサー３１は、下部基板１０及び上部基板２０との間隙に架設され、その間隙を格子状に均等に分割して複数の小区画セルを形成するとともに、下部基板１０及び上部基板２０を支持する。スペーサー３１は、格子状に複数の貫通孔が形成された板状部材として構成された可撓性部材であり、例えばポリイミドやポリエチレンテレフタレートなどの合成樹脂で構成されればよい。
【００２６】
表示部３０の内部には、帯電粒子３３ａ，３３ｂおよび分散媒３４が充填される。帯電粒子３３ａ，３３ｂは、分散媒３４中において帯電可能な材料が用いられ、有機化合物や無機化合物からなる顔料や染料、もしくは顔料や染料を合成樹脂で包んだものからなる。本実施形態では、帯電粒子３３ａは、スチレン樹脂と二酸化チタンの混合物で、平均粒子径が５μｍのもの（７ｗｔ％）であって、粒子中の二酸化チタンの量が４０ｗｔ％のものを使用する。帯電粒子３３ｂは、スチレン樹脂とカーボンブラックの混合物で、平均粒子径が５μｍのもの（１０ｗｔ％）であって、粒子中のカーボンブラックの量が３０ｗｔ％のものを使用する。そのため、帯電粒子３３ａは白色の色調であり、帯電粒子３３ｂは黒色の色調である。帯電粒子３３ａと帯電粒子３３ｂとは正あるいは負に相異なるように帯電しており、ここでは帯電粒子３３ａが負に、帯電粒子３３ｂが正に帯電しているものとする。
【００２７】
分散媒３４としては、高絶縁性を発揮可能で、かつ粘性の低い、アルコール類，炭化水素，シリコーンオイルなどを利用できる。本実施形態の分散媒３４は、パラフィン系溶剤であるエクソンモービル社製Ｉｓｏｐａｒ（７３ｗｔ％）を使用する。なお、分散媒３４には、添加剤としてエタノール（１０ｗｔ％）が加えられている。
【００２８】
上部基板２０の上面（下部基板１０と対向しない面）には、正面視、小区画セルが存在しない表示部３０の周縁部を、利用者が視認できないように隠蔽するためのマスク部４０が設けられる。マスク部４０は、上部基板２０の四辺に沿って一定幅で設けられ、表示部３０を利用者が視認できるように貫通孔が設けられた板状部材である。マスク部４０は、ポリエチレンテレフタレートなどの合成樹脂を着色したものを接着したり、表示層２３の表面に印刷したインク層で形成すればよい。かかる構成により、表示端末１（表示パネル２）をその上方からみると、マスク部４０に設けられた貫通孔から表示部３０を視認可能である。
【００２９】
図５を参照して、表示端末１の電気的構成について説明する。図５に示すように、表示端末１は、ＣＰＵ９０と、ＲＯＭ９１と、ＲＡＭ９２と、ＥＥＰＲＯＭ９３と、先述の操作キー８および電源ボタン９と、表示パネル２に接続された表示コントローラ５１と、バッテリ５に接続された電源コントローラ５２と、メモリカード７に接続可能なメモリカードインタフェース（Ｉ／Ｆ）５３とが、バスを介して接続されている。ＣＰＵ９０は、表示端末１の制御を司る。ＲＯＭ９１は、表示端末１を動作させる制御プログラムや、表示端末１の動作に関わる設定情報を記憶する。ＲＡＭ９２は、各種データを一時的に記憶するメモリである。ＥＥＰＲＯＭ９３は、各種データを記憶する不揮発性メモリである。本実施形態では、後述する終了時ページ情報が記憶される領域である終了時ページ情報記憶エリア９８が、ＥＥＰＲＯＭ９３に設けられている。
【００３０】
表示コントローラ５１は、表示パネル２での画像表示を制御する。より詳細には、表示コントローラ５１は、下部電極１２に接続されたチャンネルＣＨ１および上部電極２２に接続されたチャンネルＣＨ２に対する電気信号（波形）の印加によって、表示部３０での電界発生を制御する。これにより、表示部３０内で帯電粒子３３ａ，３３ｂを移動させて、表示パネル２に画像が形成される。電源コントローラ５２は、表示端末１に内蔵されて電源を供給するバッテリ５の充放電を制御したり、バッテリ５の電池残量や電圧低下を検知したり、表示端末１に供給する電圧を制御したりする。なお、表示端末１は、図示外の外部電源から電力供給を受けていない場合には、バッテリ５の電力で駆動される。メモリカードＩ／Ｆ５３は、カードスロットに挿入されたメモリカード７に対するデータの読出・書込を行う。
【００３１】
本実施形態の表示端末１では、表示パネル２の表示面全体を占めるページ単位の画面（ページ画面）が、メモリカード７に記憶されているデータに基づいて表示される。そして、操作キー８からページ遷移（例えば、ページ送りやページ指定など）が指示されると、表示パネル２に表示されている一のページ画面が、ユーザの操作に応じた他のページ画面に書き換えられる。また、メモリカード７には、複数のページによって構成されるコンテンツ（言い換えると、複数のページ画面をそれぞれ表示するために必要なデータやファイル）が記憶されている。詳細には、メモリカード７には、後述の管理ファイルを記憶する管理ファイル記憶エリア１１０と、後述の画像ファイルを記憶する画像ファイル記憶エリア１２０とが設けられている。
【００３２】
なお、本実施形態では、メモリカード７に記憶されているコンテンツは、複数のページで構成された文書であるものとする。例えば、ユーザがメモリカード７に記憶されているコンテンツを指定すると、図６に示すコンテンツの先頭ページ（第１ページ）のページ画面２０１が、表示パネル２に書換表示される。第１ページのページ画面２０１は、表示パネル２の表示面全体に亘って表示され、タイトルやページ番号などを含む文書の表紙を示す画像である。表示端末１のユーザは、表示パネル２に表示されるページ画面を切り換える（つまり、ページ遷移させる）ことによって、コンテンツの全体を閲覧することができる。
【００３３】
図７および図８を参照して、メモリカード７に記憶されるコンテンツのデータ構成を説明する。図７に示すように、管理ファイル記憶エリア１１０には、表示パネル２のページ遷移時に書き換えられる領域（以下、書換領域）の数量や位置などが示す管理ファイル１１１が記憶される。
【００３４】
ここで、例えば図９に示す第２ページのページ画面２０２は、その表示時に画像が書き換えられる複数の書換領域３００を有する。詳細には、文書のタイトルや目次などの付加情報が表示されるヘッダ部である書換領域３００ａと、文書の本文が表示されるボディ部である書換領域３００ｂと、文書でのページ番号が表示されるフッタ部である書換領域３００ｃとが設けられている。
【００３５】
管理ファイル１１１には、上記のような複数の書換領域３００の数量や位置などが、あらかじめ定型化された書換領域３００のパターン（ページタイプ）ごとに設定されている。そして、管理ファイル記憶エリア１１０には、コンテンツに含まれる書換領域３００のパターン（図６に示すページタイプａ，ｂ，ｃ・・・）と同数の管理ファイル１１１が記憶される。各管理ファイル１１１には、管理ファイルヘッダ１１２、書換領域数１１３、書換領域座標１１４、書換領域データオフセット１１５、書換領域画像幅ピクセル１１６、書換領域画像高さピクセル１１７が含まれる。以下では、ページタイプａの管理ファイル１１１について説明するが、他のページタイプの管理ファイル１１１も同様である。
【００３６】
管理ファイルヘッダ１１２は、管理ファイル１１１のファイル形式やファイルサイズのほか、先述のページタイプａを示す。書換領域数１１３は、ページタイプａで定義される書換領域３００の数量Ｎ（Ｎは自然数）を示す。書換領域座標１１４は、表示パネル２の表示面における書換領域３００の開始座標位置を示す。書換領域データオフセット１１５は、書換領域３００に書換表示される画像データ（後述する）の記憶位置を指定するオフセットを示す。書換領域画像幅ピクセル１１６および書換領域画像高さピクセル１１７は、書換領域データオフセット１１５に基づいて取得された画像データの表示サイズを、書換領域座標１１４を基準とした画像幅のピクセル数および画像高さのピクセル数でそれぞれ示す。
【００３７】
なお、書換領域座標１１４、書換領域データオフセット１１５、書換領域画像幅ピクセル１１６、書換領域画像高さピクセル１１７は、これらで一つの書換領域３００の位置、大きさ、画像データなどを定義している。そのため、管理ファイル１１１には、書換領域数１１３に示される書換領域数Ｎと同数分だけ、書換領域座標１１４〜書換領域画像高さピクセル１１７がそれぞれ含まれる。例えば、第２ページ（図９に示すページ画面２０２）のページタイプに対応する管理ファイル１１１には、書換領域数１１３に示される書換領域数「３」と同数分の書換領域座標１１４〜書換領域画像高さピクセル１１７が含まれる。
【００３８】
図８に示すように、画像ファイル記憶エリア１２０には、表示パネル２に表示されるページ画面を示す画像ファイル１２１が、コンテンツを構成するページごとに記憶される。つまり、画像ファイル記憶エリア１２０には、コンテンツを構成するページ数量Ｍ（Ｍは自然数）と同数の画像ファイル１２１が記憶される。各画像ファイル１２１には、画像ファイルヘッダ１２２、画像情報ヘッダ１２６、画像データ１２７が含まれる。画像ファイルヘッダ１２２は、各ページのページ番号１２３やページタイプ１２４を示す。画像情報ヘッダ１２６は、各ページの画像サイズ、圧縮形式、縦横解像度、色情報などを示す。画像データ１２７は、各ページを表示するための実画像データである。
【００３９】
ただし、画像ファイル１２１には、表示パネル２の表示面の全体を書き換えて画面データを表示する全書換ファイルと、表示パネル２の表示面の一部を書き換えて画面データを表示する部分書換ファイルとが存在する。具体的に、図８の例では、第１ページの画像ファイル１２１が全書換ファイルであり、第２ページの画像ファイル１２１が部分書換ファイルである。
【００４０】
詳細には、第１ページの画像ファイル１２１では、後述する参照先ページがないことを示す「ｒｅｆ」がページタイプ１２４に設定される。そして、画像データ１２７には、第１ページのページ画面２０１（図６参照）を示す画像データとして、表示パネル２の表示面全体で書換表示される全領域画像データ１２８が設定される。
【００４１】
一方、第２ページの画像ファイル１２１は、先述のページタイプ「ａ，ｂ，ｃ・・・」のいずれかがページタイプ１２４に設定されるとともに、画像ファイルヘッダ１２２に参照先ページのページ番号を示すＲＥＦページ番号１２５が含まれる。そして、画像データ１２７には、第２ページのページ画面２０２（図９参照）を示す画像データとして、書換領域３００ごとに書換表示される書換領域画像データ１２９が設定される。書換領域画像データ１２９は、第２ページのページタイプに定義された書換領域３００ごとに設定される。そのため、図９に示す第２ページの例では、３つの書換領域３００ａ〜３００ｃにそれぞれ対応する３つの書換領域画像データ１２９を有する。
【００４２】
その他ページの画像ファイル１２１も、上記と同様に、部分書換ファイルまたは全書換ファイルに応じたデータ構成を有する。例えば、図１０に示す第３ページのページ画面２０３では、表示パネル２の表示面全体に亘って各種資料が表示される。第３ページの画像ファイル１２１も全書換ファイルであり、ページタイプ１２４に「ｒｅｆ」が設定され、画像データ１２７に全領域画像データ１２８が設定される。
【００４３】
なお、上記の参照先ページ（以下、ＲＥＦページ）は、参照元ページと共通のページタイプを有するページのうち、コンテンツ中で最も先頭ページに近いページを指す。言い換えると、ＲＥＦページ番号１２５が一致しているページ同士は、それぞれページタイプが同じであることを意味する。本実施形態では、第２ページのＲＥＦページ番号１２５に「第１ページ」が設定されているものとする。
【００４４】
以下では、図１１〜図１３を参照して、本実施形態の表示端末１にて実行される各種処理について説明する。
【００４５】
図１１を参照して、表示端末１にて実行されるメイン処理について説明する。なお、図１１に示すメイン処理は、ユーザによって電源ボタン９がオンされると、ＲＯＭ９１に記憶されている制御プログラムに基づいて、ＣＰＵ９０によって実行される。
【００４６】
図１１に示すメイン処理では、まずメモリカードＩ／Ｆ５３を介して、管理ファイル記憶エリア１１０に記憶されている管理ファイル１１１が、メモリカード７から取得される（Ｓ１）。また、終了時ページ情報記憶エリア９８に記憶されている終了時ページ情報が、ＥＥＰＲＯＭ９３から取得される（Ｓ３）。Ｓ１にて取得された管理ファイル１１１およびＳ３にて取得された終了時ページ情報は、ＲＡＭ９２に記憶される。そして、操作キー８での入力操作に基づいて、ページ遷移処理が発生したか否かが判断される（Ｓ５）。ページ遷移処理は、表示パネル２に表示されているページ画面の書換指示を受け付ける処理である。
【００４７】
ページ遷移処理が発生した場合（Ｓ５：ＹＥＳ）、ユーザによる任意のページ指定を受け付けるページ指定処理が行われたか否かが判断される（Ｓ７）。ページ指定処理が行われた場合（Ｓ７：ＹＥＳ）、ユーザが任意に指定したページに画面を書き換える指定ページ書換処理が実行される（Ｓ９）。 一方、ページ指定処理が行われていない場合（Ｓ７：ＮＯ）、ユーザによる次ページまたは前ページへのページ送りを受け付ける前後ページ処理が行われたことになる。この場合、ユーザによってページ送りされた次ページまたは前ページに画面を書き換える前後ページ書換処理が実行される（Ｓ１１）。以下では、指定ページ書換処理（Ｓ９）および前後ページ書換処理（Ｓ１１）について説明する。
【００４８】
図１２を参照して、指定ページ書換処理（Ｓ９）について説明する。図１２に示す指定ページ書換処理では、まずユーザによって遷移先に指定されたページ（指定ページ）のページ番号が取得される（Ｓ３１）。そして、表示パネル２に表示されているページ（現在ページ）のＲＥＦページ番号が取得される（Ｓ３３）。Ｓ３３では、ＲＡＭ９２に読み出されている現在ページの画像ファイル１２１が部分書換ファイルであるときは、ＲＥＦページ番号１２５が取得される。例えば、現在ページが先述の第２ページ（図９参照）である場合、その画像ファイル１２１は部分書換ファイルであるため、ＲＥＦページ番号「第１ページ」が取得される。一方、現在ページの画像ファイル１２１が全書換ファイルであるときは、ＲＥＦページ番号１２５が存在しないため、ＲＥＦページ番号としてページ番号１２３が取得される。例えば、現在ページが先述の第１ページ（図６参照）または第３ページ（図１０参照）である場合、それらの画像ファイル１２１は全書換ファイルであるため、ＲＥＦページ番号「第１ページ」または「第３ページ」がそれぞれ取得される。
【００４９】
次に、メモリカード７に記憶されている指定ページの画像ファイル１２１がＲＡＭ９２に読み出されて、その画像ファイル１２１から画像ファイルヘッダ１２２が取得される（Ｓ３５）。Ｓ３５にて取得される画像ファイルヘッダ１２２には、ページ番号１２３およびページタイプ１２４が含まれており、部分書換ファイルであればＲＥＦページ番号１２５も含まれる。そして、Ｓ３５で取得された指定ページのページタイプ１２４が、表示パネル２の部分書換を示すものか否かが判断される（Ｓ３７）。
【００５０】
Ｓ３５で取得されたページタイプ１２４が「ｒｅｆ」である場合、表示パネル２の全書換を示すため（Ｓ３７：ＮＯ）、表示パネル２の表示面全体が書き換えられて、指定ページのページ画面が表示される（Ｓ３９）。Ｓ３９では、指定ページの画像ファイル１２１に含まれる全領域画像データ１２８が、表示コントローラ５１によって表示パネル２の表示面全体で書換表示されて、表示パネル２に指定ページのページ画面が形成される。
【００５１】
具体的には、表示パネル２に第１ページ（図６のページ画面２０１）が表示されている状態で、ユーザが第３ページを遷移先に指定したものとする。先述したように、第３ページの画像ファイル１２１は全書換ファイルであるため、Ｓ３９にて第３ページへの全書換が行われる。その結果、表示パネル２の表示面全体が第３ページの全領域画像データ１２８に書き換えられて、表示パネル２に第３ページ（図１０のページ画面２０３）が形成される。つまり、指定ページのページタイプが全書換を示す場合は、表示パネル２において現在ページの全部を書き換えることによって指定ページが表示される。
【００５２】
一方、Ｓ３５で取得されたページタイプ１２４が「ａ，ｂ，ｃ・・・」のいずれかである場合、表示パネル２の部分書換を示す（Ｓ３７：ＹＥＳ）。この場合、Ｓ３３で取得された現在ページのＲＥＦページ番号と、Ｓ３５で取得された指定ページのＲＥＦページ番号とが一致するか否かが判断される（Ｓ４１）。ＲＥＦページ番号が一致する場合は（Ｓ４１：ＹＥＳ）、現在ページおよび指定ページの各参照先ページが同じである（つまり、現在ページおよび指定ページのページタイプが共通する）。このとき、表示パネル２の表示面の一部が書き換えられて、指定ページのページ画面が表示される（Ｓ４３）。Ｓ４３では、Ｓ１で取得された管理ファイル１１１のうちで、指定ページのページタイプ１２４に対応する管理ファイル１１１が取得される。この管理ファイル１１１によって特定される書換領域３００ごとに、指定ページの画像ファイル１２１に含まれる書換領域画像データ１２９が、表示コントローラ５１によって書換表示される。その結果、表示パネル２の表示面が部分的に書き換えられて、表示パネル２に指定ページのページ画面が形成される。
【００５３】
具体的には、表示パネル２に第１ページ（図６のページ画面２０１）が表示されている状態で、ユーザが第２ページを遷移先に指定したものとする。先述したように、第２ページの画像ファイル１２１は部分書換ファイルであり、ＲＥＦページ番号が「第１ページ」で同じであるから、Ｓ４３にて第２ページへの部分書換が行われる。すなわち、表示パネル２の表示面に含まれる３つの部分領域３００ａ〜３００ｃが、それぞれ対応する第２ページの書換領域画像データ１２９に書き換えられて、表示パネル２に第２ページ（図９のページ画面２０２）が形成される。このように、指定ページのページタイプが部分書換を示す場合は、現在ページおよび指定ページの各参照先ページが一致していれば、表示パネル２において現在ページの一部を書き換えることによって指定ページが表示される。
【００５４】
なお、ＲＥＦページ番号が一致しない場合（Ｓ４１：ＮＯ）、現在ページおよび指定ページの各参照先ページが異なる（つまり、現在ページおよび指定ページのページタイプが相違する）。このとき、表示パネル２の表示面全体が書き換えられて、指定ページが参照するＲＥＦページのページ画面が表示される（Ｓ４５）。Ｓ４５では、Ｓ３５で取得された指定ページのＲＥＦページ番号と一致するページ番号１２３を有する画像ファイル１２１が、メモリカード７からＲＡＭ９２に読み出される。そして、このＲＥＦページの画像ファイル１２１に含まれる全領域画像データ１２８が、表示コントローラ５１によって表示パネル２の表示面全体で書換表示されて、ＲＥＦページのページ画面が形成される。次いで、先述のＳ４３と同様に表示パネル２の表示面の一部が書き換えられて、指定ページのページ画面が表示される（Ｓ４７）。
【００５５】
具体的には、表示パネル２に第３ページ（図１０のページ画面２０３）が表示されている状態で、ユーザが第２ページを遷移先に指定したものとする。先述したように、第２ページの画像ファイル１２１は部分書換ファイルであるが、指定ページ（第２ページ）のＲＥＦページ番号「第１ページ」と、現在ページ（第３ページ）のＲＥＦページ番号「第３ページ」とが異なる。そのため、Ｓ４５にて指定ページのＲＥＦページへの全書換が行われる。すなわち、まず表示パネル２の表示面全体が、指定ページ（第２ページ）が参照するＲＥＦページ（第１ページ）の全領域画像データ１２８に書き換えられて、表示パネル２に第１ページ（図６のページ画面２０１）が形成される。次いで、Ｓ４７では、表示パネル２の表示面に含まれる３つの部分領域３００ａ〜３００ｃが、それぞれ対応する第２ページの書換領域画像データ１２９に書き換えられて、表示パネル２に第２ページ（図９のページ画面２０２）が形成される。このように、指定ページのページタイプが部分書換を示す場合は、現在ページおよび指定ページの各参照先ページが異なっていれば、表示パネル２において現在ページの全部を書き換えることによってＲＥＦページを表示させたのち、そのＲＥＦページの一部を書き換えることによって指定ページが表示される。
【００５６】
Ｓ３９、Ｓ４３、Ｓ４５〜Ｓ４７のいずれかによって指定ページの書換表示が行われると、指定ページ書換処理（図１２）が終了してメイン処理（図１１）に戻る。
【００５７】
図１３を参照して、前後ページ書換処理（Ｓ１１）について説明する。図１３に示す前後ページ書換処理では、まずＳ３３と同様に、現在ページのＲＥＦページ番号が取得される（Ｓ５１）。そして、ユーザによってページ送りが行われた遷移先が、次ページであるか否かが判断される（Ｓ５３）。遷移先が次ページである場合（Ｓ５３：ＹＥＳ）、Ｓ３５と同様に、次ページの画像ファイル１２１から画像ファイルヘッダ１２２が取得される（Ｓ５５）。遷移先が前ページである場合（Ｓ５３：ＮＯ）、Ｓ３５と同様に、前ページの画像ファイル１２１から画像ファイルヘッダ１２２が取得される（Ｓ５７）。そして、Ｓ５５またはＳ５７で取得された画像ファイルヘッダ１２２に含まれるページタイプ１２４が、表示パネル２の部分書換を示すものか否かが、Ｓ３７と同様に判断される（Ｓ５９）。以下では、遷移先が次ページである場合（Ｓ５３：ＹＥＳ）を例示して説明する。
【００５８】
ページタイプ１２４が表示パネル２の全書換を示す場合（Ｓ５９：ＮＯ）、Ｓ３９と同様に、表示パネル２の表示面全体が書き換えられて、次ページのページ画面が表示される（Ｓ６１）。具体的には、表示パネル２に第２ページ（図９のページ画面２０２）が表示されている状態で、ユーザが第１ページへのページ送りを行うと、表示パネル２の全書換によって第１ページ（図６のページ画面２０１）が表示される。
【００５９】
ページタイプ１２４が表示パネル２の部分書換を示す場合（Ｓ５９：ＹＥＳ）、Ｓ５１で取得された現在ページのＲＥＦページ番号と、Ｓ５５で取得された画像ファイルヘッダ１２２に含まれるＲＥＦページ番号（つまり、次ページのＲＥＦページ番号）とが一致するか否かが判断される（Ｓ６３）。ＲＥＦページ番号が一致する場合（Ｓ６３：ＹＥＳ）、Ｓ４３と同様に、表示パネル２の表示面の一部が書き換えられて、次ページのページ画面が表示される（Ｓ６５）。具体的には、表示パネル２に第１ページ（図６のページ画面２０１）が表示されている状態で、ユーザが第２ページへのページ送りを行うと、表示パネル２の部分書換によって第２ページ（図９のページ画面２０２）が表示される。
【００６０】
ＲＥＦページ番号が一致しない場合（Ｓ６３：ＮＯ）、Ｓ４５と同様に、表示パネル２の表示面全体が書き換えられて、次ページが参照するＲＥＦページのページ画面が表示される（Ｓ７１）。次いで、Ｓ４７と同様に、表示パネル２の表示面の一部が書き換えられて、次ページのページ画面が表示される（Ｓ７３）。具体的には、表示パネル２に第３ページ（図１０のページ画面２０３）が表示されている状態で、ユーザが第２ページへのページ送りを行うと、表示パネル２の全書換によって第１ページ（図６のページ画面２０１）が表示されたのち、表示パネル２の部分書換によって第２ページ（図９のページ画面２０２）が表示される
【００６１】
Ｓ６１、Ｓ６５、Ｓ７１〜Ｓ７３のいずれかによって次ページまたは前ページの書換表示が行われると、前後ページ書換処理（図１３）が終了してメイン処理（図１１）に戻る。なお、遷移先が前ページである場合（Ｓ５３：ＮＯ）も、上記と同様の処理が行われるため、説明は省略する。
【００６２】
図１１のメイン処理に戻り、Ｓ９またはＳ１１にて画面書換（ページ遷移）が行われたのち、または、ページ遷移処理が発生していない場合（Ｓ５：ＮＯ）、表示端末１の電源をオフにするための終了ボタンがオンされたか否かが判断される（Ｓ１３）。ここでは、図示外のメニュー画面に表示される終了コマンドが選択され、または、電源ボタン９が直接押下されると（Ｓ１３：ＹＥＳ）、ＥＥＰＲＯＭ９３の終了時ページ情報記憶エリア９８に終了時ページ情報が保存される（Ｓ１５）。一方、終了ボタンがオンされていない場合（Ｓ１３：ＮＯ）、Ｓ５に戻る。Ｓ１５が実行されたのちは、電源コントローラ１５を介してバッテリ５からの電力供給が終了されて表示端末１が電源オフとなり（Ｓ１７）、メイン処理（図１１）が終了する。
【００６３】
なお、終了時ページ情報は、表示端末１の電源オフ時に表示中の現在ページ（終了時ページ）に関する情報であり、その終了時ページに対応するページ番号、ページタイプ、ＲＥＦページ番号などが含まれる。詳細には、Ｓ１５では、終了時ページの画像ファイル１２１を参照して、ページ番号１２３、ページタイプ１２４、ＲＥＦページ番号１２５を含む終了時ページ情報が終了時ページ情報記憶エリア９８に保存される。ところで、表示端末１は、電源オフにされるとＲＡＭ９２に記憶されているデータが消去される一方、表示パネル２に表示されている画像はそのまま維持される。そのため、表示端末１に電源が再度投入されても、表示パネル２に表示されている終了時ページ（つまり、前回終了時に表示されていたページ）を特定することができないおそれがある。しかし、本実施形態では、表示端末１の電源オフ時に終了時ページ情報がＥＥＰＲＯＭ９３に保存され（Ｓ１５）、表示端末１の電源オン時に終了時ページ情報がＥＥＰＲＯＭ９３から取得されるので（Ｓ３）、この終了時ページ情報に基づいて表示パネル２に表示中の終了時ページを特定可能となる。
【００６４】
そして、表示端末１が電源オンされたのち、最初にページ指定による画面書換が指示されると、先述のＳ３３では、現在ページのＲＥＦページ番号として、終了時ページ情報に含まれるＲＥＦページ番号１２５が取得される。同様に、表示端末１に電源がオン状態とされたのち、最初にページ送りによる画面書換が指示されると、先述のＳ５１では、現在ページのＲＥＦページ番号として、終了時ページ情報に含まれるＲＥＦページ番号１２５が取得される。なお、終了時ページの画像ファイル１２１が全書換ファイルであるときは、ＲＥＦページ番号１２５が存在しないため、先述と同様にＲＥＦページ番号としてページ番号１２３が取得される。これにより、表示端末１が電源オンされたのちの最初の画面書換（ページ遷移）であっても、表示パネル２に表示中の終了時ページを基準として、表示パネル２の全書換または部分書換を適切に実行することが可能となる。
【００６５】
以上説明したように、本実施形態に係る表示端末１によれば、不揮発性表示部である表示パネル２に表示されている現在ページを指定ページ（以下、前後ページも同様。）に切り換える場合、指定ページが全書換に対応していれば画面の全体が書き換えられる。一方、指定ページが部分書換に対応していれば画面の一部を書き換えられる。したがって、表示パネル２に表示されている画面の全部または一部のいずれを書き換えるかの判断を迅速にして、表示パネル２での画像書換を高速化することができる。
【００６６】
また、指定ページが部分書換に対応する場合に、現在ページの書換領域３００と指定ページの書換領域３００とが一致していれば、画面の一部が書き換えられて指定ページが表示される。これにより、画面の書換表示に係る処理量を低減することができる。さらに、現在ページと指定ページとがそれぞれ参照するＲＥＦページが一致するか否かという簡易な判断処理によって、現在ページと指定ページとで書換領域３００が一致するか否かを迅速に判断することができる。
【００６７】
また、現在ページと指定ページとで書換領域３００が一致しない場合、画面の全部が書き換えられて指定ページのＲＥＦページが表示されたのち、画面の一部が書き換えられて指定ページが表示される。したがって、書換領域３００が一致しない場合でも、表示パネル２に表示されている現在ページを適切に指定ページに書き換えることができる。
【００６８】
ところで、上記実施形態において、表示端末１が本発明の「画像表示装置」に相当し、ＲＯＭ９１に記憶されている制御プログラムが本発明の「画像表示プログラム」に相当する。表示パネル２が、本発明の「不揮発性表示手段」に相当する。管理ファイル記憶エリア１１０および画像ファイル記憶エリア１２０、または、後述するページファイル記憶エリア１３０が、本発明の「書換データ記憶手段」に相当する。Ｓ５およびＳ７を実行するＣＰＵ９０が、本発明の「切換指示受付手段」に相当する。Ｓ３７、Ｓ５９を実行するＣＰＵ９０が、本発明の「書換判断手段」にそれぞれ相当する。Ｓ３９、Ｓ６１を実行するＣＰＵ９０が、本発明の「第１書換手段」にそれぞれ相当する。Ｓ４３、Ｓ６５を実行するＣＰＵ９０が、本発明の「第２書換手段」にそれぞれ相当する。Ｓ４１、Ｓ６３を実行するＣＰＵ９０が、本発明の「書換領域判断手段」にそれぞれ相当する。Ｓ４５およびＳ４７、Ｓ７１およびＳ７３を実行するＣＰＵ９０が、本発明の「第３書換手段」にそれぞれ相当する。終了時ページ情報記憶エリア９８が、本発明の「終了時情報記憶手段」に相当する。Ｓ３を実行するＣＰＵ９０が、本発明の「終了時情報取得手段」に相当する。
【００６９】
なお、本発明は上記実施形態に限定されるものではなく、発明の要旨を変更しない範囲での変更が可能である。例えば、上記実施形態では、表示端末１に具備される不揮発性表示部として電気泳動表示部である表示パネル２を例示したが、これに限定されない。例えば、表示端末１に具備される不揮発性表示部は、コレステリック液晶を用いた表示部や電子分流体を用いた表示部などでもよい。また、上記実施形態の表示パネル２では、パッシブマトリクス方式の表示パネルを例示したが、アクティブマトリクス方式の表示パネルであってもよい。
【００７０】
また、上記実施形態では、メモリカード７に記憶されるコンテンツを管理ファイル１１１と画像ファイル１２１とに分けて構成したが、コンテンツのデータ構成は適宜変更可能である。以下では、図１４および図１５を参照して、変形例に係る表示端末１について説明する。なお、変形例に係る表示端末１は、基本的に上記実施形態に示すものと同様であるが、メモリカード７に記憶されるコンテンツのデータ構成が異なる。以下では、上記実施形態と同一構成については同一符号を付し、上記実施形態と異なる点のみを説明する。
【００７１】
図１４および図１５に示すように、変形例に係る表示端末１では、コンテンツを構成するページごとに設けられたページファイル１３１を記憶するページファイル記憶エリア１３０が、メモリカード７に設けられている。つまり、ページファイル記憶エリア１３０には、コンテンツを構成するページと同数のページファイル１３１が記憶されている。ページファイル１３１には、先述の書換領域３００の数量や位置などを示す情報や、表示パネル２に表示されるページ画面を示す情報などが、各ページごとに設定されている。
【００７２】
各ページファイル１３１には、ページファイルヘッダ１３２、ページ情報ヘッダ１３３、ページ画像データ１３４が含まれる。ページファイルヘッダ１３２は、対応ページのページ番号１２３やページタイプ１２４などを示す。ページ情報ヘッダ１３３は、各ページの画像サイズ、圧縮形式、縦横解像度、色情報などを示す。ページ画像データ１３４は、各ページを表示するための実画像データである。
【００７３】
ただし、ページファイル１３１には、先述の画像ファイル１２１と同様に、全書換ファイルと部分書換ファイルとが存在する。具体的に、図１５の例では、第１ページのページファイル１３１が全書換ファイルであり、第２ページのページファイル１３１が部分書換ファイルである。第１ページのページファイル１３１は、ページタイプ１２４に「全書換」が設定される。そして、ページ画像データ１３４には、第１ページのページ画面２０１（図６参照）を示す全領域画像データ１２８が設定される。一方、第２ページのページファイル１３１には、ページタイプ１２４にページタイプ「部分書換」が設定されるとともに、ページファイルヘッダ１３２にＲＥＦページ番号１２５が含まれる。また、ページ情報ヘッダ１３３には、第２ページのページ画面２０２（図９参照）に含まれる書換領域３００を定義するためのデータ（書換領域数１１３、書換領域座標１１４、書換領域データオフセット１１５、書換領域画像幅ピクセル１１６、書換領域画像高さピクセル１１７）が含まれる。また、ページ画像データ１３４には、第２ページのページ画面２０２（図９参照）に含まれる書換領域３００ごとの書換領域画像データ１２９が設定される。その他ページの画像ファイル１２１も、上記と同様に、部分書換ファイルまたは全書換ファイルに応じたデータ構成を有する。
【００７４】
つまり、本変形例の表示端末１では、上記実施形態で管理ファイル１１１および画像ファイル１２１に分けて設定されていた各種情報が、ページファイル１３１にページ単位でまとめて設定されている。なお、上記のようなデータ構成によっても、表示端末１で実行される各種処理は、上記実施形態（図１１〜図１３参照）と同様であるが、以下の点で異なる。すなわち、本実施形態のメイン処理（図１１）では、管理ファイルの取得（Ｓ１）が実行されない。そのため、Ｓ９の指定ページ書換処理（図１２）では、Ｓ３５にてページファイル１３１がＲＡＭ９２に読み出される。そして、指定ページへの部分書換時（Ｓ４３、Ｓ４７）では、そのページファイル１３１に含まれるページ情報ヘッダ１３３に基づいてページ毎の書換領域３００が特定されて、各々対応する書換領域画像データ１２９に書き換えられる。同様に、Ｓ１１の前後ページ書換処理（図１３）では、Ｓ５５またはＳ５７にてページファイル１３１がＲＡＭ９２に読み出される。そして、前後ページへの部分書換時（Ｓ６５、Ｓ７３）では、そのページファイル１３１に含まれるページ情報ヘッダ１３３に基づいてページ毎の書換領域３００が特定されて、各々対応する書換領域画像データ１２９にそれぞれ書き換えられる。
【００７５】
本変形例の表示端末１に例示するように、メモリカード７に記憶されるコンテンツのデータ構成は、適宜変更することができる。そして、上記実施形態に係るデータ構成では、コンテンツを構成するページ数が多くなったときの総データ量を抑制することができる一方、変形例に係るデータ構成では、コンテンツを構成するページファイル１３１を個別に取り扱うことができる。このように、表示端末１の性能やコンテンツのデータ量などに応じて最適なデータ構成を採用することで、表示端末１の利便性を向上させることが可能となる。
【符号の説明】
【００７６】
１    表示端末
２    表示パネル
５    バッテリ
７    メモリカード
８    操作キー
９    電源ボタン
５１    表示コントローラ
５２    電源コントローラ
９０    ＣＰＵ
９１    ＲＯＭ
９２    ＲＡＭ
９３    ＥＥＰＲＯＭ
９８    終了時ページ情報記憶エリア
１１０    管理ファイル記憶エリア
１１１    管理ファイル
１１３    書換領域数
１１４    書換領域座標
１１５    書換領域データオフセット
１１６    書換領域画像幅ピクセル
１１７    書換領域画像高さピクセル
１２０    画像ファイル記憶エリア
１２１    画像ファイル
１２３    ページ番号
１２４    ページタイプ
１２５    ＲＥＦページ番号
１２８    全領域画像データ
１２９    書換領域画像データ
１３０    ページファイル記憶エリア
２０１    第１ページのページ画面
２０２    第２ページのページ画面
２０３    第３ページのページ画面
３００    書換領域
【図１】
2010169886.tif 000003
【図２】
2010169886.tif 000004
【図３】
2010169886.tif 000005
【図４】
2010169886.tif 000006
【図５】
2010169886.tif 000007
【図６】
2010169886.tif 000008
【図７】
2010169886.tif 000009
【図８】
2010169886.tif 000010
【図９】
2010169886.tif 000011
【図１０】
2010169886.tif 000012
【図１１】
2010169886.tif 000013
【図１２】
2010169886.tif 000014
【図１３】
2010169886.tif 000015
【図１４】
2010169886.tif 000016
【図１５】
2010169886.tif 000017